(57)【要約】【課題】表示パネルの破損を抑制することを目的とする。【解決手段】互いに向かい合う第１端部及び第２端部を有する平板状の表示パネルと、前記表示パネルの前面に配置され、前記表示パネルの前記第１端部よりも外方に延在した第１延在部及び前記表示パネルの前記第２端部よりも外方に延在した第２延在部を有するフェースパネルと、前記表示パネルと前記フェースパネルとを接着する接着剤と、前記フェースパネルの前記第１延在部を支持する第１支持部及び前記第２延在部を支持する第２支持部を有するとともに前記表示パネルから離間したフレームと、前記フレームとの間で前記フェースパネルを挟持するベゼルと、を備えたことを特徴とする表示装置。【選択図】      図１
2011118227.tif 000002
【特許請求の範囲】
【請求項１】
互いに向かい合う第１端部及び第２端部を有する平板状の表示パネルと、
前記表示パネルの前面に配置され、前記表示パネルの前記第１端部よりも外方に延在した第１延在部及び前記表示パネルの前記第２端部よりも外方に延在した第２延在部を有するフェースパネルと、
前記表示パネルと前記フェースパネルとを接着する接着剤と、
前記フェースパネルの前記第１延在部を支持する第１支持部及び前記第２延在部を支持する第２支持部を有するとともに前記表示パネルから離間したフレームと、
前記フレームとの間で前記フェースパネルを挟持するベゼルと、
を備えたことを特徴とする表示装置。
【請求項２】
前記表示パネルは、前記第１端部と前記第２端部とを繋ぐ第３端部及び第４端部を有し、
さらに、前記フレームの前記表示パネルの前記第３端部及び前記第４端部と向かい合う面に弾性体を備えたことを特徴とする請求項１に記載の表示装置。
【請求項３】
前記表示パネルは、前記第４端部に沿って前記フェースパネルから露出し且つ信号源が実装される実装部を有することを特徴とする請求項２に記載の表示装置。
【請求項４】
前記接着剤は、前記表示パネルの前記第３端部及び前記第４端部に沿って配置されたことを特徴とする請求項２に記載の表示装置。
【請求項５】
さらに、前記フェースパネルの前記表示パネルと向かい合う面に配置されたレンズアレイ層またはタッチパネルを備えたことを特徴とする請求項１に記載の表示装置。
【発明の詳細な説明】
【技術分野】
【０００１】
本発明は、表示装置に関する。
【背景技術】
【０００２】
液晶表示装置や、有機エレクトロルミネッセンス表示装置などに代表される平面表示装置は、軽量、薄型、低消費電力などの特徴を生かして、パーソナルコンピュータなどのＯＡ機器やテレビ、携帯電話などの携帯端末機器や、カーナビゲーション装置、アミューズメント機器などの各種表示装置として利用されている。
【０００３】
例えば、特許文献１によれば、画像を表示する表示面を有した液晶表示パネルと、表示面上に設けられ液晶表示パネルによって表示される画像を透過させて立体画像を形成する光学部材と、液晶表示パネル及び光学部材を接合するシール材とを備えた液晶表示装置が開示されている。
【先行技術文献】
【特許文献】
【０００４】
【特許文献１】特開２００９−９３０６６号公報
【発明の概要】
【発明が解決しようとする課題】
【０００５】
本発明の目的は、表示パネルの破損を抑制することが可能な表示装置を提供することにある。
【課題を解決するための手段】
【０００６】
本発明の一態様によれば、
互いに向かい合う第１端部及び第２端部を有する平板状の表示パネルと、前記表示パネルの前面に配置され、前記表示パネルの前記第１端部よりも外方に延在した第１延在部及び前記表示パネルの前記第２端部よりも外方に延在した第２延在部を有するフェースパネルと、前記表示パネルと前記フェースパネルとを接着する接着剤と、前記フェースパネルの前記第１延在部を支持する第１支持部及び前記第２延在部を支持する第２支持部を有するとともに前記表示パネルから離間したフレームと、前記フレームとの間で前記フェースパネルを挟持するベゼルと、を備えたことを特徴とする表示装置が提供される。
【発明の効果】
【０００７】
本発明によれば、表示パネルの破損を抑制することが可能な表示装置を提供することができる。
【図面の簡単な説明】
【０００８】
【図１】図１は、本実施形態における表示装置の主要部を概略的に示す分解斜視図である。
【図２】図２は、図１に示した表示装置における表示パネルの構造を概略的に示す断面図である。
【図３】図３は、図１に示した表示装置におけるレンズアレイ層を保持したフェースパネルの構造を概略的に示す断面図である。
【図４】図４は、接着剤により接着された表示パネル及びフェースパネルの構造を概略的に示す平面図である。
【図５】図５は、図４に示した表示パネル及びフェースパネルをフレームに収容した表示装置をＡ−Ａ線で切断したときの構造を概略的に示す断面図である。
【図６】図６は、図４に示した表示パネル及びフェースパネルをフレームに収容した表示装置をＢ−Ｂ線で切断したときの構造を概略的に示す断面図である。
【発明を実施するための形態】
【０００９】
以下、本発明の一態様について、図面を参照しながら詳細に説明する。なお、各図において、同一又は類似した機能を発揮する構成要素には同一の参照符号を付し、重複する説明は省略する。
【００１０】
図１は、本実施形態における表示装置の主要部を概略的に示す分解斜視図である。
【００１１】
すなわち、表示装置１は、略矩形平板状の表示パネル１０、この表示パネル１０の前面に配置された略矩形平板状のフェースパネル３０、このフェースパネル３０を支持するフレーム４０、このフレーム４０との間でフェースパネル３０を挟持するベゼル５０などを備えている。以下に、各構成についてより詳細に説明する。
【００１２】
表示パネル１０は、略矩形平板状の第１基板１１及び第２基板１２を貼り合わせて構成されている。この表示パネル１０は、画像を表示する略矩形状のアクティブエリア１００を有している。このような表示パネル１０において、第２基板１２の側が画像を表示する表示面となる。
【００１３】
表示パネル１０は、第１方向Ｘに沿った長さが第２方向Ｙに沿った長さよりも長い略長方形状である。つまり、表示パネル１０は、互いに向かい合う第１端部１０Ａ及び第２端部１０Ｂと、これらの第１端部１０Ａ及び第２端部１０Ｂを繋ぐ第３端部１０Ｃ及び第４端部１０Ｄとを有している。第１端部１０Ａ及び第２端部１０Ｂは、第２方向Ｙに沿って略平行に延びており、短辺に相当する。第３端部１０Ｃ及び第４端部１０Ｄは、第１方向Ｘに沿って略平行に延びており、長辺に相当する。
【００１４】
第１基板１１は、第２基板１２よりも第２方向Ｙに沿って外方に延在した実装部１３を有している。このような実装部１３は、第４端部１０Ｄに沿って形成されている。この実装部１３には、駆動ＩＣチップやフレキシブル配線基板などの信号源が実装される端子部１３１及び１３２が設けられている。
【００１５】
フェースパネル３０は、表示パネル１０とベゼル５０との間に配置されている。このフェースパネル３０は、表示パネル１０の表示面の上方に位置しているため、光透過性を有する絶縁基板、例えばガラス基板によって構成されている。フェースパネル３０の第３方向Ｚに沿った厚さは略均一である。また、フェースパネル３０は、第１方向Ｘに沿った長さが第２方向Ｙに沿った長さよりも長い略長方形状である。
【００１６】
このようなフェースパネル３０の第１方向Ｘに沿った長さは、表示パネル１０の第１方向Ｘに沿った長さよりも長い。すなわち、フェースパネル３０は、表示パネル１０の第１端部１０Ａよりも第１方向Ｘに沿って外方に延在した第１延在部３１及び表示パネル１０の第２端部１０Ｂよりも第１方向Ｘに沿って外方に延在した第２延在部３２を有している。
【００１７】
フェースパネル３０の内面、すなわち表示パネル１０と向かい合う面には、例えば、光学部材であるレンズアレイ層６０が配置されている。このレンズアレイ層６０は、例えば、３次元（３Ｄ）表示を可能とするための光学部材である。このようなレンズアレイ層６０は、フェースパネル３０の上に直接成型されることによって形成されても良いし、成型後にフェースパネル３０の上に接着されても良い。いずれにしても、レンズアレイ層６０は、フェースパネル３０に保持されている。
【００１８】
表示パネル１０とフェースパネル３０とは、接着剤７０によって貼り合わせられている。この接着剤７０は、表示パネル１０のアクティブエリア１００よりも外側に位置し、第１方向Ｘに沿って直線状に配置されている。図示した例では、接着剤７０は、表示パネル１０の第３端部１０Ｃ及び第４端部１０Ｄに沿って、第２基板１２の上面とフェースパネル３０との間に位置している。
【００１９】
この接着剤７０は、詳述しないがスペーサを含有しており、表示パネル１０とフェースパネル３０との間に略均一なギャップを形成している。接着剤７０によって形成されるギャップは、例えば、３Ｄ表示を実現するのに必要な値に設定され、本実施形態では、フェースパネル３０に保持されたレンズアレイ層６０は、表示パネル１０から離間している。なお、フェースパネル３０に保持されたレンズアレイ層６０と表示パネル１０とは必ずしも離間している必要はなく、両者間に隙間を設けない構成も採用可能である。
【００２０】
フレーム４０は、レンズアレイ層６０を保持したフェースパネル３０が表示パネル１０と貼り合わせられた状態で収容可能に形成されている。このフレーム４０は、例えば、樹脂材料を用いて成型することによって形成されている。
【００２１】
このようなフレーム４０は、フェースパネル３０の第１延在部３１を支持する第１支持部４１及びフェースパネル３０の第２延在部３２を支持する第２支持部４２を有している。これらの第１支持部４１及び第２支持部４２は、第２方向Ｙに沿って延びており、フェースパネル３０を支持するそれぞれの表面は略平坦に形成されている。また、これらの第１支持部４１と第２支持部４２との間の第１方向Ｘに沿った間隔は、表示パネル１０の第１方向に沿った長さと同等以上である。
【００２２】
フェースパネル３０の第１延在部３１及び第２延在部３２がフレーム４０の第１支持部４１及び第２支持部４２に支持された状態では、フェースパネル３０に保持された表示パネル１０は、第１支持部４１及び第２支持部４２に接触することなく、第１支持部４１と第２支持部４２との間に位置する。
【００２３】
また、このフレーム４０は、第１支持部４１及び第２支持部４２に対して窪んで段差を形成する底面４３を有している。ここに示した例では、底面４３は、枠状に形成されている。この底面４３の中央部には、開口４４が形成されている。第１支持部４１及び第２支持部４２と底面４３との第３方向Ｚに沿った段差は、表示パネル１０の第３方向Ｚに沿った厚さよりも大きい。
【００２４】
フェースパネル３０がフレーム４０に支持された状態では、フェースパネル３０に保持された表示パネル１０の第１端部１０Ａ、第２端部１０Ｂ、第３端部１０Ｃ、及び、第４端部１０Ｄは、底面４３と向かい合うが、この底面４３から離間している。このように、表示パネル１０は、フレーム４０とは接触していない。
【００２５】
底面４３のうち、表示パネル１０の第３端部１０Ｃ及び第４端部１０Ｄと向かい合う面には、それぞれ弾性体８０が配置されている。弾性体８０は、第１方向Ｘに沿って直線状に配置されている。このような弾性体８０は、例えばゴム状の弾性を有する部材によって形成されている。本実施形態では、フェースパネル３０がフレーム４０に支持された状態では、表示パネル１０の第３端部１０Ｃ及び第４端部１０Ｄは、弾性体８０から離間している。
【００２６】
さらに、このフレーム４０には、表示パネル１０の端子部１３１及び１３２に実装された図示しないフレキシブル配線基板をフレーム４０の外方に引き出すための切欠部４５及び４６が形成されている。
【００２７】
ベゼル５０は、略矩形枠状に形成されている。このベゼル５０には、表示パネル１０のアクティブエリア１００の直上に略長方形状の開口部５１が形成されている。このようなベゼル５０は、フレーム４０に締結されている。
【００２８】
次に、表示パネル１０の一例である透過型の液晶表示パネルの構造について説明する。
【００２９】
図２は、表示パネル１０である液晶表示パネルの構造を概略的に示す断面図である。
【００３０】
すなわち、表示パネル１０は、第１基板１１、第２基板１２、及び、第１基板１１と第２基板１２との間に保持された液晶層ＬＱを備えている。第１基板１１及び第２基板１２は、ガラス基板やプラスチック基板などの絶縁基板を用いて形成されている。第１基板１１と第２基板１２とはシール材ＳＥによって貼り合わせられている。画像を表示するアクティブエリア１００において、第１基板１１は、第２基板１２と向かい合う面に複数のスイッチング素子ＳＷ、スイッチング素子ＳＷにそれぞれ接続された第１電極Ｅ１を備えている。第２基板１２は、第１基板１１と向かい合う面に第２電極Ｅ２を備えている。第２電極Ｅ２は、液晶層ＬＱを介して複数の第１電極Ｅ１と向かい合っている。第１電極Ｅ１及び第２電極Ｅ２は、光透過性を有する導電材料、例えば、インジウム・ティン・オキサイド（ＩＴＯ）やインジウム・ジンク・オキサイド（ＩＺＯ）などを用いて形成されている。
【００３１】
第１電極Ｅ１と液晶層ＬＱとの間、及び、第２電極Ｅ２と液晶層ＬＱとの間には、それぞれ図示しない配向膜が介在している。また、第１基板１１と第２基板１２との間には、図示しないスペーサが介在し、略均一な厚さの液晶層ＬＱを形成している。カラー表示タイプの表示パネル１０は、第１基板１１または第２基板１２に配置された図示しないカラーフィルタを備え、複数種類の画素、例えば赤（Ｒ）を表示する赤色画素、緑（Ｇ）を表示する緑色画素、青（Ｂ）を表示する青色画素を有している。
【００３２】
第１基板１１の外面には第１光学素子ＯＤ１が配置されている。また、第２基板１２の外面には第２光学素子ＯＤ２が配置されている。これらの第１光学素子ＯＤ１及び第２光学素子ＯＤ２は、偏光板を含むとともに、必要に応じて１枚以上の位相差板を含んでいても良い。
【００３３】
なお、表示パネル１０の構成は、図２に示した構成に限らず、第２電極Ｅ１は第１電極Ｅ１と同一の基板である第１基板１１に備えられても良い。また、液晶モードについて特に制限はなく、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの主として縦電界を利用するモードや、ＩＰＳ（Ｉｎ−Ｐｌａｎｅ  Ｓｗｉｔｃｈｉｎｇ）モード、ＦＦＳ（Ｆｒｉｎｇｅ  Ｆｉｅｌｄ  Ｓｗｉｔｃｈｉｎｇ）モードなどの主として横電界を利用するモードなどが適用可能である。
【００３４】
次に、レンズアレイ層６０を保持したフェースパネル３０について説明する。
【００３５】
図３は、レンズアレイ層６０を保持したフェースパネル３０の構造を概略的に示す断面図である。
【００３６】
フェースパネル３０は、略均一な厚さのガラス基板である。レンズアレイ層６０は、第１方向Ｘに並んだ複数のシリンドリカルレンズによって構成されている。各シリンドリカルレンズは、フェースパネル３０とは反対側に突出した円筒面を有しており、それぞれの円筒面の母線が第２方向Ｙに伸びた形状である。このようなレンズアレイ層６０は、例えば、光透過性を有する樹脂材料によって形成されている。
【００３７】
次に、接着剤７０を介して接着された表示パネル１０及びフェースパネル３０について説明する。
【００３８】
図４は、接着剤７０により接着された表示パネル１０及びフェースパネル３０の構造を概略的に示す平面図である。
【００３９】
フェースパネル３０において、表示パネル１０の第１端部１０Ａよりも外方に延在した部分が第１延在部３１に相当し、また、表示パネル１０の第２端部１０Ｂよりも外方に延在した部分が第２延在部３２に相当する。レンズアレイ層６０は、表示パネル１０におけるアクティブエリア１００と同等以上の大きさに形成され、アクティブエリア１００の直上に位置している。
【００４０】
接着剤７０は、アクティブエリア１００あるいはレンズアレイ層６０とは重ならない位置に配置され、第１方向Ｘに沿って直線状に形成されている。すなわち、接着剤７０は、アクティブエリア１００あるいはレンズアレイ層６０と表示パネル１０の第３端部１０Ｃとの間、及び、アクティブエリア１００あるいはレンズアレイ層６０と表示パネル１０の第４端部１０Ｄとの間にそれぞれ位置している。
【００４１】
表示パネル１０において、第１基板１１の第２方向Ｙに沿った長さは、第２基板１２の第２方向Ｙに沿った長さよりも長く、第１基板１１の第２基板１２よりも外方に延在した部分が実装部１３に相当する。また、第１基板１１の第２方向Ｙに沿った長さは、フェースパネル３０の第２方向Ｙに沿った長さよりも長い。第１基板１１の実装部１３については、フェースパネル３０から露出している。つまり、実装部１３の端子部１３１及び１３２は、フェースパネル３０と重なっていない。
【００４２】
図５は、図４に示した表示パネル１０及びフェースパネル３０をフレーム４０に収容した表示装置１をＡ−Ａ線で切断したときの構造を概略的に示す断面図である。
【００４３】
フェースパネル３０の第１延在部３１は、フレーム４０の第１支持部４１に支持されている。フレーム４０に固定されたベゼル５０は、第１支持部４１との間で第１延在部３１を挟持している。同様に、フェースパネル３０の第２延在部３２は、フレーム４０の第２支持部４２に支持されている。フレーム４０に締結されたベゼル５０は、第２支持部４２との間で第２延在部３２を挟持している。
【００４４】
フェースパネル３０に保持されたレンズアレイ層６０及びフェースパネル３０に接着された表示パネル１０は、第１支持部４１及び第２支持部４２よりも内側に位置している。表示パネル１０は、フレーム４０から離間しており、第１基板１１と底面４３との間にギャップが形成されている。
【００４５】
第１基板１１の外面に配置された第１光学素子ＯＤ１は、フレーム４０に形成された開口４４と向かい合っている。また、第２基板１２の外面に配置された第２光学素子ＯＤ２は、レンズアレイ層６０と向かい合い、しかも、レンズアレイ層６０から離間している。レンズアレイ層６０の直上には、ベゼル５０の開口部５１が位置している。
【００４６】
フレーム４０は、表示パネル１０の背面側、つまり、第１光学素子ＯＤ１と向かい合う側にバックライトＢＬを収容している。このバックライトＢＬは、開口４４から表示パネル１０を照明する。このようなバックライトＢＬとしては、種々の形態が適用可能であり、また、光源として発光ダイオードを利用したものや冷陰極管を利用したものなどのいずれでも適用可能であり、詳細な構造については説明を省略する。
【００４７】
図６は、図４に示した表示パネル１０及びフェースパネル３０をフレーム４０に収容した表示装置１をＢ−Ｂ線で切断したときの構造を概略的に示す断面図である。
【００４８】
表示パネル１０とフェースパネル３０とを接着する接着剤７０は、第２光学素子ＯＤ２及びレンズアレイ層６０を挟んだ両側に配置されている。つまり、この接着剤７０は、表示パネル１０の第２基板１２とフェースパネル３０とを接着している。
【００４９】
表示パネル１０は、フレーム４０の底面４３から離間している。また、表示パネル１０の第１基板１１は、フレーム４０の底面４３に配置された弾性体８０からも離間している。弾性体８０は、フレーム４０に形成された開口４４を挟んだ両側の底面４３にそれぞれ配置されている。一方の弾性体８０は、第１基板１１の実装部１３の直下に位置している。
【００５０】
実装部１３の端子部１３１には、フレキシブル配線基板９０が実装されている。このフレキシブル配線基板９０は、フレーム４０に形成された切欠部４５からフレーム４０の外方に引き出されている。
【００５１】
ベゼル５０は、フェースパネル３０を押さえ、フレーム４０に固定されている。
【００５２】
本実施形態の構成によれば、薄型の表示パネル１０の需要が高まる一方で表示パネル１０の機械的強度が低下しつつあり、表示パネル１０がフェースパネル３０よりも脆弱であったとしても、フェースパネル３０に接着された表示パネル１０がフレーム４０から離間しているため、外部から加わった応力により、フレーム４０との接点を起点とした表示パネル１０の破損を抑制することが可能となる。
【００５３】
このような表示パネル１０を保持したフェースパネル３０は、その互いに向かい合う第１延在部３１及び第２延在部３２がそれぞれフレーム４０の第１支持部４１及び第２支持部４２に支持されている一方で、他の部分については特にフレーム４０に支持されていない。つまり、フェースパネル３０を押し込む外部応力が加わった際には、表示パネル１０の第３端部１０Ｃ及び第４端部１０Ｄに沿って湾曲するように撓むが、表示パネル１０の第３端部１０Ｃ及び第４端部１０Ｄと向かい合うフレーム４０の底面４３には、弾性体８０が配置されている。
【００５４】
このため、表示パネル１０が極端に湾曲した場合には、表示パネル１０が弾性体８０に接触し、表示パネル１０が破損するような湾曲の発生が抑制され、しかも、表示パネル１０のフレーム４０への直接の接触が回避される。したがって、比較的強い外部応力が加わった場合であっても、表示パネル１０の破損を抑制することが可能となる。
【００５５】
また、表示パネル１０の実装部１３は、フェースパネル３０から露出している。このため、表示パネル１０とフェースパネル３０とを接着した後に、表示パネル１０の実装部１３に実装された信号源のリペアが必要となった際に、フェースパネル３０が邪魔にならず、速やか且つ容易にリペア作業を行うことが可能となる。
【００５６】
さらに、表示パネル１０とフェースパネル３０とを接着する接着剤７０は、フレーム４０によって支持されていない第３端部１０Ｃ及び第４端部１０Ｄに沿って配置されている。このため、表示パネル１０及びフェースパネル３０が湾曲しても、表示パネル１０とフェースパネル３０との間の３次元表示を可能とするための適当なギャップを保持することが可能となる。
【００５７】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５８】
本実施形態においては、表示パネル１０として、液晶表示パネルを適用した場合について説明したが、この例に限らず、有機エレクトロルミネッセンス表示パネルや、プラズマ表示パネルなどを適用しても良い。
【００５９】
また、本実施形態においては、表示パネル１０として透過型の液晶表示パネルを適用した構成について説明し、この液晶表示パネルを照明するためのバックライトを必要としたが、必ずしもこの例に限らず、表示パネル１０として反射型の液晶表示パネルを適用することも可能である。
【００６０】
本実施形態において、フェースパネル３０の表示パネル１０と向かい合う面には、レンズアレイ層６０が配置された例について説明したが、タッチパネルが配置されても良い。表示パネル１０とフェースパネル３０との間に保持されたタッチパネルが配置された本実施形態の構成においては、特に、フェースパネル３０に押圧する力が作用するが、表示パネル１０がフレーム４０から離間しているため、このような押圧力による表示パネル１０の破損を抑制することが可能となる。なお、レンズアレイ層の代わりにタッチパネルを適用する場合、フェースパネル３０がタッチパネルを構成する基板を兼ねても良い。
【符号の説明】
【００６１】
１…表示装置
１０…表示パネル  １１…第１基板  １２…第２基板  １３…実装部
３０…フェースパネル  ３１…第１延在部  ３２…第２延在部
４０…フレーム  ４１…第１支持部  ４２…第２支持部
５０…ベゼル
６０…レンズアレイ層
７０…接着剤
８０…弾性体
【図１】
2011118227.tif 000003
【図２】
2011118227.tif 000004
【図３】
2011118227.tif 000005
【図４】
2011118227.tif 000006
【図５】
2011118227.tif 000007
【図６】
2011118227.tif 000008